(57)【要約】【課題】本発明は障害者が特に家庭内で介護者なしで体を支えながら使用する歩行器が、安定性に優れ、ワンタッチ操作で簡単に折りたためる機構を備え、木製品で軽量かつコンパクトで比較的狭い家庭内の室内空間でも、移動ができる折りたたみ式歩行器を提供。【解決手段】脚柱２の上面と体重支持把手１下面をほぞと接着剤で接合固定しさらに脚柱２下面と脚３の上面をほぞと接着剤と木工ビスで接合固定すると共に上部脚柱支えボルト９と下部脚柱支えボルト１０と間座１６とＸ型交互伸縮筋交４と振れ止め５と折りたたみ手掛け１４を組合せ、構成した折りたたみ機構にて、幅方向に伸縮折りたたみ可能にしたことを特徴とする。【選択図】図１
2006223773.tif 000002
【特許請求の範囲】
【請求項１】
体重を支持する把手１と脚柱２の下面に脚３とＸ型交互伸縮筋交４−ａと４−ｂと４−ｃと４−ｄと振れ止め５で形成され、さらに折りたたみ支え７と折りたたみ手掛け１４と伸縮スライド溝８で形成すると共に左右の脚３の下面の前側に主軸自在車輪１１−ａと後ろ側に固定車輪１１−ｂを取付、走行可能に形成し、障害者がワンタッチでＸ型に水平軸横方向に折りたたみができ、かつ、折りたたみの状態で比較的狭い室内空間でも移動できる木製折りたたみ式歩行器。
【請求項２】
前期Ｘ型交互伸縮筋交４は下部脚柱支えボルト１０と上部脚柱支えボルト９と中軸固定ボルト１２と伸縮スライド溝８で構成され水平軸横方向に伸縮することを特徴とする請求１に記載される木製折りたたみ式歩行器。
【請求項３】
前期振れ止め５は上部脚柱支えボルト９と間座１６−ａと１６−ｂと１６−ｃと振れ止め板６と折りたたみ支え７と折りたたみ手掛１４と上軸固定ボルト１３で形成され、さらに伸縮スライド溝８折りたたみストッパ１５で構成されていることを特徴とする請求１に記載される折りたたみ式歩行器。
【請求項４】
前期間座１６−ａと１６−ｂと１６−ｃの中心に縦方向に穴を貫通し、それに上部脚柱支えボルト９と下部脚柱支えボルト１０を通すことにより、脚柱２と脚と体重支持把手１等と同材質を使用することができ、前脚柱２と後脚柱２の間を固定することを特徴としている請求１に記載される木製折りたたみ式歩行器。
【請求項５】
前期脚３は脚３の主軸自在車輪１１−ａと後車輪１１−ｂの金具の取付部分の幅を外側に広くすることにより、前脚柱と後脚柱の中心部分より外側に車輪を装着することができ、左右の安定性が保てる木製折りたたみ式歩行器。
【発明の詳細な説明】
【技術分野】
【０００１】この発明は歩行に障害がある障害者が杖代わりまた歩行訓練のために体を支えながら前進操作を行うようにした歩行器に関し、危険なく容易に前進できるようにするとともに、ワンタッチで水平軸横方向に伸縮折りたたみができ、折りたたんだ状態で狭い室内空間でも移動できる木製折りたたみ式木製歩行器。
【背景技術】
【０００２】公報のように前後左右の四隅に車輪をつけクロス方向に折りたたみのものがある（例えば、特開２０００−１４２４１９号）【０００３】
【特許文献】特開２０００−１４２４１９号の場合、車体本体が大きい為室内などで使用する場合比較的広い空間が必要であるとともに、木製品と違い室内では違和感がある
【発明の開示】
【発明が解決しようとする課題】
【０００４】そこで本発明は上記の課題を解決するために、歩行器全体を木製品でコンパクトに軽く比較的狭い室内空間でも使用可能にすると、共にワンタッチ操作で簡単に折りたたみができ、さらに折りたたんだ状態で、移動することが可能な機能を備えた折りたたみ式歩行器を提供することを目的とする。
【課題を解決するための手段】
【０００５】このようなことから、本発明の目的は、木製品で家庭内での狭い室内空間でも走行が比較的容易にでき、車載などの持ち運び移動も簡単にでき、狭い収納スペースでも使用できる木製折りたたみ式歩行器を開発したものである。
【発明の効果】
【０００６】本発明はクロス方式で歩行器全体が幅方向に伸縮折りたたみが可能であり、折りたたむと本体の幅が大幅に縮まり狭いスペースに収納ができ、折りたたんだ状態で例えば、障害者が寝室のベット側等でも移動が可能であり、木製品で構造がコンパクトでかつ、折りたたみも、ワンタッチ操作で簡易迅速行うことができ、軽量かつ、車載などでの移動も容易である。
【発明を実施するための最良の形態】
【０００７】Ｘ型交互伸縮筋交４と振れ止め５と折りたたみ支え７と折りたたみ手掛け１４と伸縮スライド溝８が連動して、一体になりＸ型交互伸縮筋交い４がクロス状態になりスムーズに折りたたみ又は開脚することができ、伸縮スライド溝８上端、下端に上部脚柱支持ボルト９が到達した時ストッパーが働くので安定した歩行器であるとともに、室内の狭い空間、例えばトイレ、洗面脱衣所等でも方向変更移動が可能である。
【実施例】
【０００８】以下に、本発明の実施の形態を図１〜図４に基づいて説明する。
図１に示すように、折りたたみ式歩行器は木材から制作され脚柱２の上端に体重支持把手１下端に脚３が設けられ、脚３下面に主軸自在車輪１１−ａと後輪１１−ｂが装着されさらに、脚柱２の左右にＸ型交互伸縮筋交４を連結し、さらに振り止め５と折りたたみ支え７と折りたたみ手掛１４が連結し、伸縮スライド溝８に上部脚柱支持ボルト９が上下にスライドすることによりクロス横方向に伸縮できる構造である。木材に限らず軽金属、合成樹脂からも作成することも可能である。【０００９】図１に示すように脚３は体重支持把手１と左右前後の脚柱２と連結し、さらに主軸自在車輪１１−ａと後輪１１−ｂを取付組み立てた部材からなる。【００１０】図１に示すように体重支持把手１と脚３の場合、脚柱２の上端と体重支持把手１の下面は、ほぞと接着剤で接合固定し、さらに脚柱２の下端と脚３とはほぞと接着剤と木工用ビスで接合固定し、脚３の下面の車輪１１−ａと１１−ｂの金具取付部分は外側に幅を広くし、脚柱２の中心部分より外側に車輪１１−ａと１１−ｂを取り付けることにより、左右前後の脚柱２のバランスがとれているので、障害者が転倒することなく、安定しているすなわち安定した性能のよい木製折りたたみ式歩行器である。【００１１】図１に示すように、Ｘ型伸縮交互筋交は４−ａと４−ｂと４−ｃと４−ｄの４ヶの部材で形成され、中心に中軸ボルトを挿入固定することによりクロス状態になり、そして脚柱２の左右に片端づつ上部脚柱支持ボルト９と下部脚柱支持ボルト１０に連結し、さらに振れ止め５と折りたたみストッパー１５と折りたたみ支え７と折りたたみ手掛１４と連結形成し、さらに折りたたみ手掛１４を上部に持ち上げると伸縮スライド溝８上を上部脚柱支持ボルト９が上部にスライドしワンタッチで折りたたみができ、又逆に折りたたみ手掛１４を下方に押し下げることにより開脚固定し、伸縮スライド溝８の上端、下端部分の溝を狭くすることでストッパーの働きができ横幅方向にガタつきがなく安定した歩行器になる。【００１２】図１に示すように振れ止め５は上軸固定ボルト１３と振れ止め板６で形成され、振れ止め板６は水平方向のねじれを防ぐとともに安定させることができ、中軸固定ボルト１３は振れ止めの中心にありさらに折りたたみ支え７と連結し、折りたたみ手掛け１４と形成することにより、スムーズに伸縮することができる。【００１３】図４のように間座は１６−ａと１６−ｂと１６−ｃの３種類から構成され、間座１６を使用することにより、脚柱２の前後を固定することができ、間座１６の縦方向の中心に上部脚柱支持ボルト９と下部脚柱支持ボルト１０をそれぞれ貫通することにより脚柱２と体重支持把手１と脚３と同材質の使用ができ、伸縮交互筋交４の前後のガタもなく、強度が増し、さらに木材の美観を損なうことがなく、家庭内での違和感が少ない歩行器である。
【産業上の利用可能性】
【００１６】
【図面の簡単な説明】
【００１７】
【図１】本発明の正面図である。（開脚状態）
【図２】本発明の斜面図である。
【図３】本発明の正面図である。（折りたたんだ状態）
【図４】本発明の側面の部品を示す側面図である。
【符号の説明】
【００１８】１        体重支持把手り
２        脚柱
３        脚
４−ａ    Ｘ型交互伸縮筋交
４−ｂ    Ｘ型交互伸縮筋交
４−ｃ    Ｘ型交互伸縮筋交
４−ｄ    Ｘ型交互伸縮筋交
５        振れ止め
６        振れ止め板
７        折りたたみ支え
８        伸縮スライド溝
９        上部脚柱支えボルト
１０      下部脚柱支えボルト
１１−ａ  主軸自在車輪
１１−ｂ  後輪
１２      中軸固定ボルト
１３      上軸固定ボルト
１４      折りたたみ手掛け
１５      折りたたみストッパ
１６−ａ  間座
１６−ｂ  間座
１６−ｃ  間座
【図１】
2006223773.tif 000003
【図２】
2006223773.tif 000004
【図３】
2006223773.tif 000005
【図４】
2006223773.tif 000006